(57)【要約】      （修正有）【課題】防犯や徘徊の見守りや災害時の情報などとともに音声や画像認識やインターネットなどデジタル社会にマッチした機能を有する、市民に親しまれる多機能郵便ポストロボットを提供する。【解決手段】多機能郵便ポストロボットは、徘徊や見守りが可能な頭部中心ＬＥＤライト付きカメラ１と、頭部及び背面太陽光パネル２と、両目タイプＬＥＤとカメラ３と、センサー付き郵便物投函口及び音声会話部（スピーカー部）４と、両手で握手や拍手などが可能な両腕アーム部５と、会話や顔認識やメールが可能なタッチパネル式ディスプレイからなるＩパットタイプの液晶パネル部６と、を備える。【選択図】図４
2019057256.tif 000002
【特許請求の範囲】
【請求項１】
本発明は多機能郵便ポストロボットとして少なくとも以下の（１）から（１２）の要件
（１）頭部中心にはＬＥＤライトとカメラを取り付け。頭部カメラで徘徊や見守りが可能。
（２）頭部太陽光パネル、背面に太陽光パネルを設置
（３）目の位置には両目サイドにカメラとＬＥＤを設置
（４）センサー付き郵便物投函口
（５）左右両腕には肩関節とひじ関節と手首の動く手のひらと指があるロボット装置を取り付ける。両手で握手や拍手や駄目だめやＯＫやバイバイが可能。
ジャンケンポンやクイズなどゲームで子供と遊ぶことが可能。
（６）正面にはＩパットタイプの双方向の可能な会話やお話ができる顔認識やメールも可能な画面を取り付ける。Ｉパットタイプの画面では双方向の会話やメールやタッチ式の質問や問い合わせなど可能。
音声による会話が可能
地域活動の一環で市役所、警察、消防署など郵便局以外の交流が可能。
防犯や救急や災害時の適切な情報が提供可能。
などを有することが特徴の多機能ポストロボット。
【請求項２】
本発明の多機能郵便ポストロボットは防犯や救急時の情報交換から災害時の情報伝達まで音声やディスプレイやスピーカーによって周囲に情報を知らせたり警報を発したりすることが特徴とする請求項に記載されている多機能郵便ポストロボット。多機能郵便ポストロボットは頭部のＬＥＤによる点滅照明やシグナル照明など多色光として選択が可能で、３６０度カメラにより防犯灯や徘徊見守りなどにも可能な多機能郵便ポストロボット。
【請求項３】
本発明の多機能郵便ポストロボットは各種情報センターからの音声や映像や請求項１に記載の画像認識やインターネットによるメールのやり取りなどディスプレイ及び音声の情報交換が可能な請求項１から２いずれかの多機能郵便ポストロボット。
【請求項４】
本発明の多機能郵便ポストロボットのディプレイは画面分割機能つきで、複数の表示をすることが可能。またタッチ式を採用することで、使い慣れない高齢者でも目視で選択が可能な請求項１から２から３のいずれか多機能郵便ポストロボット。ディスプレイには広告なども掲載が可能でコストパホーマンスを考慮された機能を有する特徴のアル多機能郵便ポストロボット。
請求項１〜３の何れか１項の記載において、機能を充実させることが可能。
【請求項５】
本発明の多機能郵便ポストロボットは記載のインターネットによる送受信が可能であり、インターネット基地局としてのアンテナを装置していることを特徴とする請求項１から３項のいずれかの多機能郵便ポストロボット。
請求項１〜請求項５記載のシステム。
【発明の詳細な説明】
【技術分野】
【０００１】本発明は、機能を付与した郵便出箱（以下、郵便ポストと称す）を提供することに関する、さらに詳細はディスプレイを利用した宣伝や広告機能、工法機能、及び災害時緊急情報提供機能や防犯機能や徘徊や見守り機能などインターネットを有効に活用したメディア装置でもあり、インターネットの基地局としての機能も持ち合わせた、複数の機能を付与した多機能郵便ポストロボットを提供する事に関する。
【背景技術】
【０００２】  郵便事業者によると２００７年度に現在、郵便ポストは全国で約１、９００，０００万本設置されている。
（ｈｔｔｐ／／ｗｗｗ．ｐｏｓｔ．ｊｙａｐａｎｐｏｓｔｏ．ｊｐ）／ｗｈａｔｓ＿ｎｅｗ／２００７／１００１．０２．０１．ｐｄｆ）．
コンクリートポストは少なくなりあまり見かけることも少な無くなりました。
親しみのある形を再現して、新たな集荷場だけでない役割を与えることで街の中心に関心が高められていくことを期待しています。
特許文献参照
特願  ２０１１−６２２４３
【発明の概要】
【発明が解決しようとする課題】
【０００３】  本発明は、以上の事実をかんがみ、社会の役に立つ機能を複数付与した多機能郵便ポストロボットを提供るることを課題とした。
【課題を解決するための手段】
【０００４】上記課題を解決するために本発明者は防犯や徘徊の見守りや災害時の情報などとともに音声や画像認識やインターネットなどデジタル社会にマッチした新たな多機能郵便ポストロボットを郵便ポストが新たな機能を付与して生かせることを見出した。
【発明の効果】
【０００５】前記の形態に基づいて本発明を実施すると以下のような効果が得られる。
１：郵便物を投函する利用者の利便性
１−１：タッチパネルの操作や音声により郵便番号や郵便料金などの郵便サービスの確認が投函時に得られる。
１−２：受付番号の付与が可能となり郵便物の追跡が可能となる。
１−３：カメラやＬＥＤによる照明などで、防犯上の犯罪を防ぐことが可能となる。
２：犯罪の抑止力となる役割が増える。
各所にある郵便ポストロボットには防犯上のカメラやＬＥＤなどが付加されていて、抑止力だけでなく、災害時や徘徊み守りなどにも役に立つ郵便ポストロボットに生まれ変わる。
２−１：警察や消防署との連携も可能で、行政の市役所や町役場とも連絡が可能となり情報の交換がすばやく可能となる。
３：宣伝やコマーシャルや商業活動にも使うことが可能となり設置コストを効率的に下げることが可能となる。
４；地域の天気予報や交通状況や道路状況や工事中などや地域の温度など雨や集中雷雨などの情報の提供も可能となる。
【図面の簡単な説明】
【０００６】
【図１】本発明の実施形態における多機能郵便ポストロボットの平面図（Ａ）
【図２】本発明の実施形態における多機能郵便ポストロボットの正面図（Ｂ）  側面図（Ｃ）
【図３】本発明の実施形態における多機能郵便ポストロボットの概観図イラスト  である。
【図４】本発明の実施形態における多機能郵便ポストロボットのディスプレイ
【図５】本発明の実施形態における多機能郵便ポストロボットのディスプレイ  画面の例
【発明を実施するための形態】
【０００７】図１に示したように、本発明の多機能郵便ポストロボット（１）平面図の頭部にはＬＥＤとカメラ、太陽パネルがセットされている。
【０００８】図２に示したように、本発明の多機能郵便ポストロボットの図２（Ｂ）正面図には両目がありＬＥＤとカメラがセットされていて、その下には投函口（センサー付き）と郵便物の保管スペースからなり、一般の郵便ポストと同じように袋による回収が行われ、一般のポストとしての機能を有する。一般のポストとしても機能を適宜追加できるものとする。また、図３（Ｃ）両サイドにはロボットアームがあり人の腕や手のひらと同じような動作で、利用者と握手をしたりバイバイしたり、ゲームやジャンケンすることが可能。
【０００９】図４に示したように正面はディスプレイが装着されていて双方向の顔を見ながら会話ができたり、インターネットを通じたメールのやり取りなども可能。
図５タッチ式のパネルを活用して画面を分割したりして、市役所や警察や消防署へも情報のやり取りが可能となる。ディスプレイは液晶や有機ＬＥＤパネルを適宜に流用して、平時には広告を掲載することも可能。
【００１０】防犯などの抑止力としての活用や犯罪を最小限に防ぐ見守りや高齢者の徘徊や見守りなどとともに、災害４．０計画の災害時の情報のやり取りなど活用が可能。
【符号の説明】１：頭部中心ＬＥＤＥライト付きカメラ
２：頭部及び背面太陽光パネル
３：両目タイプＬＥＤとカメラ
４：投函口及び音声会話部（スピーカー部）
５：両腕アーム部
６：液晶パネル部
【図１】
2019057256.tif 000003
【図２】
2019057256.tif 000004
【図３】
2019057256.tif 000005
【図４】
2019057256.tif 000006
【図５】
2019057256.tif 000007